(57)【特許請求の範囲】
【請求項１】
自動車窓（５）の一端部（７）の近傍に配置され、回転可能に装着された巻取シャフト（２１）と、
前記巻取シャフト（２１）に実質的に平行に延びる引出部材（１５）と、
前記自動車窓（５）の互いに対向する側端部（８）にそれぞれ隣接して延びるように自動車（１）の本体に固定され、その中に前記引出部材（１５）の両端部が案内される２つの案内レール（２２，２３）と、
一端が前記巻取シャフト（２１）に固着され、他端（４１）が前記引出部材（１５）に固定される日除け部材（１９）と、を備え、
前記巻取シャフト（２１）に平行に測った前記日除け部材（１９）の幅は、前記自動車窓（５）の前面で前記日除け部材（１９）を完全に延ばした状態における前記引出部材（１５）と隣接する位置において、前記案内レール（２２，２３）の間の距離よりも長い、
ことを特徴とする自動車窓（５）のウィンドウシェード装置（１８）。
【請求項２】
各案内レール（２２，２３）に隣接して、前記日除け部材（１９）の前記自動車窓（５）の幅と前記案内レール（２２，２３）のうち少なくともいずれか一方を超えて延びる部分を保持し、導入スロット（５７）を有する収容部（５３）が存在する、ことを特徴とする請求項１に記載のウィンドウシェード装置。
【請求項３】
各案内レール（２２，２３）に隣接して、前記日除け部材（１９）が押し進められたとき前記日除け部材（１９）の前記自動車窓（５）の幅と前記案内レール（２２，２３）のうち少なくともいずれか一方を横方向に超えて延びる部分を保持し、導入スロット（５７）を有する収容部（５３）が存在する、ことを特徴とする請求項１に記載のウィンドウシェード装置。
【請求項４】
前記導入スロット（５７）は、隣接する前記案内レール（２２，２３）の下方に延びる、ことを特徴とする請求項２又は３に記載のウィンドウシェード装置。
【請求項５】
前記収容部（５３）は、前記巻取シャフト（２１）で最小で、前記巻取シャフト（２１）から離れた端部で最大である変更可能な深さを有する、ことを特徴とする請求項２または３に記載のウィンドウシェード装置。
【請求項６】
前記収容部（５３）は、湾曲端部（５６）と、前記湾曲端部（５６）から離れて位置し、前記日除け部材（１９）の前記自動車窓（５）の幅と前記案内レール（２２、２３）のうち少なくともいずれか一方を横方向に超えて延びる部分を前記収容部（５３）内へ案内するプレート（５４）とを有する、ことを特徴とする請求項２または３に記載のウィンドウシェード装置。
【請求項７】
前記プレート（５４）は、自動車（１）の隣接する側壁（３）に概略平行に延びる、ことを特徴とする請求項６に記載のウィンドウシェード装置。
【請求項８】
前記日除け部材（１９）は、矩形の外形を有する、ことを特徴とする請求項１に記載のウィンドウシェード装置。
【請求項９】
前記日除け部材（１９）の幅は、どの位置においても、前記巻取シャフト（２１）と少なくとも同一の長さである、ことを特徴とする請求項１に記載のウィンドウシェード装置。
【請求項１０】
日除け部材（１９）は、前記引出部材（１５）に結合される端部（４１）が、張られた日除け部材の表面に平行な方向に堅固で、この表面に垂直な方向に柔軟であるように、補強されている、ことを特徴とする請求項１に記載のウィンドウシェード。
【請求項１１】
前記日除け部材（１９）には、それぞれの端部が前記引出部材（１５）に結合されるか、または、前記端部の長さにわたって好ましくは連続する管状のループに形成された曲げ部（４１）が提供される、ことを特徴とする請求項１に記載のウィンドウシェード装置。
【請求項１２】
延伸された前記日除け部材（１９）により規定される表面に平行にその平坦な側面が配置される板ばね部材（４２）が、少なくとも端部領域が、前記折り曲げ部（４１）または前記ループに挿入されている、ことを特徴とする請求項１１に記載のウィンドウシェード装置。
【請求項１３】
前記板ばね（４２）の長さは、前記引出部材（１５）の中央部材（２８）を超えて延びる前記日除け部材（１９）の延長部に対応する長さより大きく、好ましくは前記日除け部材（１９）の端部の長さにわたって延びる、ことを特徴とする請求項１２に記載のウィンドウシェード装置。
【請求項１４】
前記巻取シャフト（２１）を前記日除け部材（１９）の巻き取り方向に駆動する駆動装置（３８）が、前記巻取シャフト（２１）に配置される、ことを特徴とする請求項１に記載のウィンドウシェード装置。
【請求項１５】
前記巻取シャフト（２１）の前記駆動装置（３８）は、ばねモータにより形成される、ことを特徴とする請求項１４に記載のウィンドウシェード装置。
【請求項１６】
前記引出部材（１５）は、長さが一定な中央部材（２８）と、前記中央部材（２８）の長さ方向に前記中央部材（２８）に相対的に移動可能で、前記案内レール（２２，２３）内に案内される２つの端部材（２９，３１）から組み立てられる、ことを特徴とする請求項１に記載のウィンドウシェード装置。
【請求項１７】
前記案内レール（２２，２３）は、完全に延伸された前記日除け部材（１９）に対応する位置より、相対的に大きい前記巻取シャフト（２１）近傍のその間の距離を有する、ことを特徴とする請求項１に記載のウィンドウシェード装置。
【請求項１８】
各案内レール（２２，２３）は、その断面が溝空間（２６）と溝スロット（２７）とから組み立てられる案内溝（２５）を有し、前記溝スロット（２７）の幅は、前記溝スロット（２７）の幅に平行な寸法の前記溝空間（２６）の幅より小さい、ことを特徴とする請求項１に記載のウィンドウシェード装置。
【請求項１９】
前記溝空間（２６）は、円形の断面を有する、ことを特徴とする請求項１８に記載のウィンドウシェード装置。
【請求項２０】
前記引出部材（１５）は、前記溝空間（２６）の断面に合致する滑り部材（３３）が配置される、ことを特徴とする請求項１８に記載のウィンドウシェード装置。
【請求項２１】
直線状の駆動要素（４３）が、前記溝空間（２６）内に案内される、ことを特徴とする請求項１８に記載のウィンドウシェード装置。
【請求項２２】
前記駆動要素（４３）は、ギヤモータ（４８）により駆動される、ことを特徴とする請求項２１に記載のウィンドウシェード装置。
【請求項２３】
前記案内レール（２２，２３）は、自動車（１）の内側ライニング部材（１６）に装着されるか、または、これらの部材に埋設される、ことを特徴とする請求項１に記載のウィンドウシェード装置。
【発明の詳細な説明】
【技術分野】
【０００１】
本発明は、自動車用のウィンドウシェードに関する。
【背景技術】
【０００２】
従来技術から、後部窓を日除けするために構成された複数のウィンドウシェード装置が知られている。現代的な車体形状では、後部窓でのルーフ上端領域の車両幅は、中央線の高さにおけるより顕著に小さい。この形状のため、後部窓は、概略台形形状を有する。最新の解決策では、案内レールは、後部窓を画定する車体カラムの内側ライニングに一体にされる。
【発明の開示】
【発明が解決しようとする課題】
【０００３】
日除け部材は、いかなる位置においても内側ライニングと衝突しないように、後部窓の台形形状に適合されている。この装置によれば、時には美感に訴えないものと考えられる僅かな隙間が、通常、日除け部材の側端部と、内側ライニングまたは窓側端部との間に形成される。
【０００４】
この背景から開始して、本発明の課題は、窓の幾何学形状に依らず、側部隙間が排除される自動車用後部窓ウィンドウシェードを構成することである。
【課題を解決するための手段】
【０００５】
自動車窓、特に後部窓用の新規なウィンドウシェード装置について、回転可能に装着された巻取シャフトが提供される。巻取シャフトは、自動車窓の一端、好ましくは底端に隣接して配置される。
【０００６】
２つの案内レールに端部が案内される引出部材が、他端に係止される。２つの案内レールは、後部窓の側端部に平行に延びる。
【０００７】
日除け部材は、矩形の外形を有し、引出部材を超えて横方向に突出する。引出部材の突出部は、案内レールに隣接する収容部に隠される。そのため、日除け部材のどの位置でも、後部窓は、日除け部材により、一方の側端部から他方の側端部まで覆われる。
【０００８】
日除け部材の突出部が保持される、案内レールに隣接するさらなる収容部を提供することが有利である。
【０００９】
この構成によれば、日除け部材の何れの位置でも、日除け部材の移動中、一部のウィンドウシェード装置が、収容部または他部に内包可能であり、日除け部材の側端部領域が、収容部に順次押し込まれる。
【００１０】
本発明の装置は、側端部が上端部に向かう方向に集まる窓についてだけでなく、実質的に矩形の窓にも使用可能であり、ここで日除け部材の側端部が、収納位置と延伸位置との間で、日除け部材の移動経路全体にわたって、収容ポケットに、常に、保持される。
【００１１】
日除け部材の横方向の延長部用の収容部が、上方または外側から見て、案内レールの下方または後方に配置される場合には、特に自動車の内部から、非常に簡素で整った外観が、生成される。内側から外側に見ると、案内レールは、日除け部材により覆われ、特別に滑らかで美的な移行部が、日除け部材から、４扉セダンの側部ライニングまで形成される。
【００１２】
後部窓が台形形状を有する場合、対応する拡大延長部を保持することを可能にするため、好ましくは延長部の方向に見て、収容部の深さが変更される。
【００１３】
収容部は、必ずしも、直接巻取シャフトまで延びる必要はない。日除け部材の進入が、後部座席シェルフの下方で開始するように、これらの収容部が、後部座席シェルフの下方ではないが、巻取シャフトに十分近接した距離で開始すれば十分である。
【００１４】
日除け部材を問題なしに収容部に進入させるために、収容部は、開放側に、進入開口に対応する湾曲端部を有することが可能であり、一方、停止または滑り面が、反対側に提供される。
【００１５】
この停止または規制面は、自動車の隣接する側壁に、すなわち内側ライニングと露出した車体との間に、好ましくは平行に配置される。
【００１６】
日除け部材の引出部材は、端部が、日除け部材の移動に平行な方向に曲げ抵抗があり、日除け部材の移動に垂直な方向に柔軟であるように、好ましくは補強されて提供される。このため、引出部材により日除け部材に導かれた力は、もはや引出部材に直接締結されていない日除け部材の部分にも伝達される。何故なら、この部分は、引出部材を超えて横方向に突出するからである。
【００１７】
この曲げ防止装置は、最も簡単な場合には、日除け部材端部に結合された板ばね部材により得られる。
【００１８】
日除け部材の対応する端部が、板ばね片が配置される連続した管形状のループまたは曲がりに提供される場合、部品配置は、特に簡単である。
【００１９】
本発明のウィンドウシェードでは、駆動部は、そのようなウィンドウシェードについて典型的な態様で実現可能である。例えば、引出部材の移動は、折れ曲がらないように案内レール内に案内された駆動要素／ケーブルを用いて実現される。最も簡単な場合ボーデンケーブルとして構成される駆動要素は、例えば広角歯を有する線形駆動要素から構成される線形駆動装置に結合される。これらの歯は、ギヤモータの出力シャフトに配置されたピニオンと、ピッチに応じて噛合する。
【００２０】
日除け部材の巻取シャフトへの巻き付けは、日除け部材の巻き取り方向に巻取シャフトを付勢するばねモータの助けを借りて、実行可能である。
【００２１】
追加的に、本発明の改良は、従属クレームの主題事項である。
【００２２】
図面の記載を読むことにより、望ましい実施形態のみがここで記載されており、この実施形態が種々の方法で変形可能であり、最も広い意味において上述の問題を解決する限り、この実施形態での特定の部材も、変更または省略可能である。
【発明を実施するための最良の形態】
【００２３】
本発明の主要部の実施形態は、図面に示される。
【００２４】
図１は、自動車１の後部切り出し部の外観を示す。ルーフ２、左側Ｃピラー３、及びトランクカバー４が示されている。左側Ｃピラー３に対応する右側Ｃピラーは、切り離されており、見ることができない。
【００２５】
トランクカバー４上方に、自動車１は、その上端部６、下端部７、及び、２つの側端部により規定される後部窓５を有し、そのうちの側端部８のみがＣピラー３の構成要素として示されている。
【００２６】
自動車１の内部に、その上にヘッドレスト１１を有する背もたれ９を見ることができる。背もたれ９の後側と下端部７の間に、引出スロットにより２つの部分１３，１４に分割される後部座席シェルフ１２が存在する。後部座席シェルフ１２の幅全体にわたって延びるスロットは、示された形態の引出部材１５により覆われる。
【００２７】
さらに、Ｃピラー３の内側に、スロット１７を有する内側ライニング１６を見ることが可能であり、内側ライニングは、このスロットで、後部座席シェルフ１２にて開始し、そこから側端部８に接近し、その他は、上端部６まで側端部８の延びに従う。
【００２８】
引出部材１５は、後部窓ウィンドウシェード１８の一部であり、その概略構成が図２に示される。上述した引出部材１５、引出部材に固着された柔軟な日除け部材１９、巻取シャフト２１、２つの案内レール２２，２３、及びギヤモータ２４が、後部窓ウィンドウシェード１８に備えられる。
【００２９】
案内レール２２，２３は、対応する内側ライニング１６背後で、スロット１７近傍に配置される。図２では、案内レール２２，２３は、簡便及び明確のために、直線に示されている。案内レール２２，２３を図の平面上に投射すると、下端領域、すなわち後部座席シェルフ１２から出現する場所におけるその間の距離が、後部窓５の上端部６領域での距離より大きいことが、注記されるべき実質的特徴である。
【００３０】
２つの案内レール２２，２３は、同一の構成を有する。このため、案内レール２３のみを参照して、構成を詳細に説明することで十分である。
【００３１】
案内レール２３は、その断面が、溝空間２６と、溝スロット２７とから組み立てられる案内溝２５を有する。溝スロット２７は、円形の断面を有する溝空間２６が有する幅より小さい幅を有する。
【００３２】
溝スロット２７は、後部窓５に向かう方向に開放されている。このため、溝スロット２７は、図面が後部窓５の方向からの見た図を示すので、図面で見ることができる。
【００３３】
引出部材１５は、一定の固定された長さを有する中央部材２８と、望遠鏡の動作で動くことができる２つの端部材２９，３１とから組み立てられる。２つの端部材２９，３１は、鏡像対称であるので、一方のみを詳細に説明すれば十分である。また、この説明は、同様に他の端部材２９にも適用される。
【００３４】
平坦な端部に形成され、中央部材２８内の収容空間（より詳細には不図示）で長手方向に移動可能な棒部材３２は、回転不能に案内され、端部材３１に備えられる。このことを表すため、中央部材２８内部の棒部材３２の延びは、破線により示されている。好ましくは、空間は、連続したチャネルとして構成され、同様に長手方向に移動可能な端部材２９が、中央部材２８の他端で受け入れられる。
【００３５】
棒部材３２は、中央部材２８から突出する自由端で、図の平面に関してスロット２７の方向に下方に角度をつけて曲げられ、溝スロット２７を通って案内溝２５に導かれる。滑り部材３３は、案内溝２５内で、棒部材３２に固着されている。滑り部材３３は、溝空間２６の断面に合致する形状を有する。棒部材３２の厚さは、案内スロット２７でひっかかることなく走行可能なように、規定される。
【００３６】
日除け部材１９は、矩形の外形を有し、２つの側端部３４，３５により側部が画定される。日除け部材１９の幅は、後部座席シェルフ１２のスロットの高さでＣピラーの２つの内側ライニング部１６を互いから離す距離と同じ幅である。このため、幅は、後部窓５の上端部６の下方でＣピラー３の側部ライニング部１６を互いに離す距離より広い。この状態が図２に示されており、その状態では、下方領域で、２つの案内レール２２，２３の間隔が、日除け部材１９の幅より若干大きく、一方、上方領域で、案内レール２２，２３の間隔は、日除け部材１９の幅より小さい。言い換えれば、２つの案内レール２２，２３は、下方または車の幾何学構成に関してその前方に配置される日除け部材１９の側端部３４，３５と交差する。
【００３７】
日除け部材１９は、下端部が、自動車１の後部座席シェルフ１２下方に、ピン３６，３７により回転可能に取り付けられた巻取シャフト２１に、知られた方法で固着される。ピン３７は、同時に、巻取シャフト２１の内部に配置されるばねモータ３８を回転しないように固定するために使用され、ばねモータの内側端部は、３９にて、巻取シャフト２１と回転するように係止される。巻取シャフト２１は、ばねモータ３８の助けを借りて、日除け部材１９の巻取シャフト２１への巻き取り方向に付勢される。
【００３８】
巻取シャフト２１から離れて配置される日除け部材１９の端部には、長さ方向に続いており、管形状のループのために閉止可能な折り曲げ部４１が提供される。この折り曲げ部４１またはループには、側端部３４から側端部３５まで延びる板ばね４２が配置される。板ばね４２は、日除け部材１９のこの端部が、図の平面に平行な方向、従って延伸及び収納中の移動方向に実質的に堅固で、一方、図の平面に垂直な方向、従って延伸された日除け部材１９により張られた表面に垂直な方向に、相対的に容易に柔軟であることができる、ことを確実にする。
【００３９】
折り曲げ部４１及びこの折り曲げ部に配置される板ばね４２を用いて、日除け部材１９は、中央部材２８に固定される。この目的のために、中央部材は、日除け部材１９に向かう方向に開放されたスロットを有し、スロットの中で、日除け部材１９が、例えば、折り曲げ部４１に接着される。
【００４０】
端部材２９，３１のためのチャネルは、現実の装着配置に関して、折り曲げ部４１のための収容スロットより、後部窓５に近接している。側面から見て、案内レール２２，２３は、棒部材３２と折り曲げ部４１の間に延びる。
【００４１】
板ばね４２の助けを借りて、日除け部材１９が延伸されるときに中央部材２８に導かれる前進動作は、中央部材２８に結合されていない日除け部材１９の側部領域にも伝達され、これにより、特に、柔軟な日除け部材１９の折れを防止する。日除け部材１９は、典型的には穿孔されたシート、または網状材料、またはウィンドウシェードに好適な他の実質的に柔軟な素材から作成される。
【００４２】
日除け部材１９を後部窓５の前方に伸張して配置することを可能にするため、２つの案内レール２２，２３の各案内空間２６に、可撓性の直線状の押し要素４３が延びる。押し要素４３は、円形の断面を有するコア４４と、コア４４の外側に延びる螺旋４５とから組み立てられる。コア４４の外側で、螺旋４５は、長さ方向に延びる連続した全周歯を形成する。すなわち、押し要素４３は、全周に歯を有する可撓性の噛合ラックである。押し要素４３は、それぞれの側部の滑り部材３３の隣接する端部に抗して押し進む。
【００４３】
２つの押し要素４３は、ギヤモータ２４により移動され、このために、案内管が各案内レール２２，２３の下端部からギヤモータ２４に導かれる。ギヤモータは、２つの穿孔４９が通るギヤ筐体４８を有する。これらの穿孔のうち、１つのみが、一部のみが切り離された図のため、見ることができる。これらの穿孔４９は、押し要素の歯、図示の場合に案内レール２３の押し要素４３の歯に噛合する出力ギヤ５１を越えて正接して延びる。
【００４４】
２つの押し要素は、同一の出力ギヤ５１と、直径の反対側で噛合するので、２つの押し要素は、出力ギヤ５１が回転されると、反対方向に同じ量それぞれ移動される。各押し要素４３の必要とされない部分は、詳細には不図示の貯蔵管内に延びる。
【００４５】
図３は、日除け部材１９が２つの案内レール２２，２３の上端部の近傍にあるとき、引出部材１５の中央部材２８を超えて突出する日除け部材１９の側部領域が収容された状態を示す。
【００４６】
日除け部材１９の他方の側部には、案内レールと収容部とから構成される鏡像対称の配置が存在する。
【００４７】
さらに、拡大された図で、中央部材２８の形状の美的な延長部を実現するため、端部材２９，３１が、キャップ５２により覆われていることを見ることができる。
【００４８】
内側ライニング１６と図３には示されていない露出した車体の間に、裂溝状の収容部５３が配置される。収容部５３は、案内レール２３と同様に、スロット１７から接近可能である。収容部５３は、内側ライニング１６により規定される表面に平行な平坦な側に配置され、従って自動車１の側壁にも実質的に平行である。
【００４９】
収容部５３は、互いに結合された２つの板状のプレート５４，５５により規定される。図示するように、プレート５４は、案内レール２３に直接近接して延び、一方、プレート５５は、下方に、案内レール２３に向かう方向に存在する。収容部は、滑らかに曲がった湾曲端部５６にて終端する。このようにして、案内レール２３の下端部に向かう方向及びスロット１７を通過する方向、すなわち斜め上方に開放された導入スロット５７が、湾曲端部５６とプレート５４の間に形成される。プレート５４は、日除け部材１９に面する側が平滑であり、以下に説明するように、滑り面として使用される。
【００５０】
後部窓ウィンドウシェード１８の収納状態では、日除け部材１９は、図１に示すように、引出部材１５が後部座席シェルフ１２に配置されるまで、巻取シャフト２１にほぼ完全に巻き付けられている。この状態で、後部座席シェルフ１２に隣接する十分な空間が存在するので、日除け部材１９は、折れ曲げ部４１が後部座席シェルフ１２下方に延びる位置まで、対応するスロット１７内に突出する。
【００５１】
隙間形状の収容部５３は、それぞれの側部の後部窓５の側端部８の断面形状に従い、長さ全体にわたって対応する側端部８を超えて外側に車体の外皮までオフセットされているので、折れ曲げ部４１の領域の日除け部材１９には、絶対的に何らの力も印加されない。押し要素４３は、この動作位置にてそれらが滑り部材３３に当接する間のみ、収納されるか、または前方に押される。
【００５２】
この収納位置から開始して、利用者が後部窓５を日除けすることを所望する場合、対応するスイッチを起動することにより、ギヤモータ４８を駆動する。出力ギヤ５１が、示された実施形態に関して、時計方向に回転し、２つの押し要素４３を、対応する案内レール２２，２３に向かう方向に押し動かす。２つの押し要素４３は、滑り部材３３をその前方に押し動かし、このため、引出部材１５を後部座席シェルフ１２から窓上端部６に向かう方向に移動する。２つの案内レール２２，２３が、互いに近づくので、端部材２９，３１は、中央部材２８に、望遠鏡のように動作して、押し込まれる。
【００５３】
同時にこの動作中、２つの収容部５３のプレート５４の滑り面を互いから離す距離は、日除け部材１９から見て、連続的に減少する。このため、折り曲げ部４１の端部または側端部３４，３５は、２つの横方向の収容部５３の導入スロット５７により深く挿入される。動作中の位置で、これらは、引出部材１５または内側ライニング１６に面するプレート５４の平坦側に押されることがある。引出部材１５の長手方向の軸に関して滑り面を対応して配置することにより、折れ曲げ部４１に保持される板ばね４２の端部は、図３に関して、下方に力が加えられる。日除け部材１９の乗員室に面する側は、湾曲端部５６に載置される。
【００５４】
さらなる動作のため、板ばねは、図３が示すように、対応する側部に自由端が、次第に、隣接する収容部５３により深く滑り込む。復元力により、板ばねは、一端が、湾曲端部５６、他端がプレート５４に接する。
【００５５】
このようにして、日除け部材１９のそれぞれの側部に存在する収容部５３は、収納位置から開始して、日除け部材１９の引き出し中、内側ライニング１６のスロット１７を越えて漸次外側に延びる日除け部材１９のいかなる実質的に三角形の領域を収容する。これらの三角形領域は、自動車の幾何学形状に応じて、内側ライニング１６背後で、前方に折り重ねられる。
【００５６】
この装置によれば、後部窓ウィンドウシェード１８の各延伸位置で、日除け部材は、一方の内側ライニング１６から反対側の他方の内側ライニング１６まで目に見える採光隙間なしに延びる。日除け部材は、光の隙間なしに、内側ライニング１６外側に達し、対向する側部が、採光隙間なしに、内側ライニングに提供されたスロット１７内に隠れる。
【００５７】
板ばね４２の展開動作が妨害されず、板ばねが曲がるのではなく圧縮されるように、プレート５４は、滑り面が日除け部材１９の平面に関して９０°と異なる角度で、引出部材１５に面するように延びる。そのため、板ばね４２に、対応する好ましい曲げ方向が、課される。
【００５８】
後部窓ウィンドウシェード１８は、逆の順序で収納され、このとき、ギヤモータ２４の助けを借りて、２つの押し要素４３が案内レール２２，２３から引き戻される。そして、引出部材１５が、ばねモータ３８、またはそのとき引き要素として作用し、例えば滑り部材３３に積極嵌合により結合される押し要素４３のいずれかのみにより、後退される。収納動作中、その結果板ばね４２が湾曲端部５６上に引き出されるように、収容部５３間の距離は、日除け部材１９から見て広がる。
【００５９】
上述したように、板ばね４２は、日除け部材１９が、中央部材２８の領域だけでなく、幅全体にわたって移動されることを確実にする。このため、日除け部材は、また、移動されて延伸状態で各領域が対応する収容部５３に配置される。
【００６０】
本発明は、後部窓がルーフに向かう方向に狭くなる自動車の幾何学形状を参照して、図面に示された。本発明の構成は、実質的に矩形近似の後部窓にも適用可能であり、そのとき、日除け部材１９の何れの位置でも、板ばねは、巻取シャフトに隣接する位置及び完全な延伸位置に対応する位置の両方で、常に、曲げられているか、または対応する収容部に突出する。
【００６１】
後部窓用自動車ウィンドウシェードは、その幅が後部窓の内側ライニング部材の間の開放幅より大きい日除け部材を有する。日除け部材の延長部分は、露出した車体と内側ライニングの内側の間に配置されたスロット形状の収容部またはポケットに保持される。このように、日除け部材の側端部が常に内側ライニング背後に保持されるので、内側ライニングと日除け部材の側部の間のいかなる採光隙間は、防止される。
【図面の簡単な説明】
【００６２】
【図１】収納された後部窓ウィンドウシェードを有する、自動車の後部から切り出された斜視図である。
【図２】図１の自動車からの後部窓ウィンドウシェードの主要構成である。
【図３】日除け部材の対応する収容ポケット内への挿入を図解する、拡大され、切り出された斜視図である。
【符号の説明】
【００６３】
１    自動車
５    後部窓
１５  引出部材
１８  ウィンドウシェード装置
１９  日除け部材
２１  巻取シャフト
２２  案内レール
２３  案内レール
２５  案内溝
２６  溝空間
２７  溝スロット
２８  中央部材
２９  端部材
３１  端部材
４１  折り曲げ部
４２  板ばね
５３  収容部
５４  プレート
５６  湾曲端部
５７  導入スロット
【図１】
0004617289.tif 000002
【図２】
0004617289.tif 000003
【図３】
0004617289.tif 000004